(57)【特許請求の範囲】
【請求項１】
冊子の背面を先頭にして搬入した断裁する冊子を載置する断裁プレートと、冊子の搬入方向と直交する方向に伸び前記断裁プレートの搬入側の端縁に沿って配置した冊子の小口側の端部を断裁する小口断裁刃と、冊子の搬入方向と同方向に伸び前記断裁プレートの一方の側縁に沿って配置した冊子の天の端部を断裁する天断裁刃と、前記天断裁刃と平行し前記断裁プレートの他方の側縁に沿って配置した冊子の地の端部を断裁する地断裁刃とを備え、前記断裁プレートに載置した冊子の小口および天・地の端部を前記各断裁刃の下降により断裁してなる三方断裁機であって、断裁する冊子を前記断裁プレートへ搬入する第１のモータの駆動で移動するプッシャーと、前記断裁プレートの両側にそれぞれ対向して配置され、前記断裁プレート上に搬入された冊子の背および天または地に当接するＬ字形のストッパ板と、前記各ストッパ板をそれぞれ前記搬入された冊子の天・地と直交する方向に移動駆動する第２のモータと、前記搬入された冊子の小口および天・地を突き揃える回数およびストローク量を設定する設定手段とを設け、断裁する冊子を前記断裁プレート上に搬入したとき、前記第１および第２のモータを正転駆動および逆転駆動し、前記設定手段で設定したストローク量で、前記設定手段で設定した回数前記プッシャーで前記冊子の小口を、前記ストッパ板で前記冊子の天・地を突き揃えることを特徴とする三方断裁機における冊子突き揃え装置。
【発明の詳細な説明】
【技術分野】
【０００１】
本発明は、三方断裁機で断裁する冊子の三方を突き板で揃える冊子突き揃え装置に関するものである。
【背景技術】
【０００２】
製本した冊子の１冊以上を積み重ね、その積み重ねた冊子の小口・天・地の三方を三方断裁機で切り揃えて製本を仕上げる場合がある。この場合、三方断裁機で切り揃える前に、積み重ねた冊子の小口・天・地の三方を揃えておく必要がある。図４は従来の三方断裁装置を示すもので、この図４において、１は冊子搬送路、２は搬送する冊子を押し進める搬送爪、３は冊子搬送中央線、４は冊子の背ガイド、５は冊子の小口ガイド、６は冊子の天ガイド、７は小口揃え板、８はチャック、９はボールネジ、１０はサーボモータ、１１は小口刃、１２は天刃、１３は地刃、１４は断裁位置、Ｐは冊子である。
【０００３】
冊子搬送路１に載せられた冊子Ｐは、搬送爪２で背ガイド４と小口ガイド５に沿って天ガイド６に当接するまで押し進められ、その後搬送爪２は退避する。なお、搬送爪２の退避と入れ替わり地揃え板を突出し、地揃え板で突き揃える場合もある。冊子Ｐが天ガイド６に当接した時点から小口揃え板７が上方から下方へ揺動し、冊子Ｐの背面を背ガイド４に当接した状態で小口が揃えられる。冊子の小口が揃えられるとチャック８が作動し、揃えた冊子を挟持する。そして、サーボモータ１０が駆動し、ボールネジ９が回転し、その回転で冊子を挟持したチャック８が移動し、その冊子を断裁位置１４に置き、チャック８は元の位置に戻る。チャック８が移動するときは、小口揃え板７は上方で待機しており、チャック８の移動を妨げることはない。その後、天・地刃１２、１３および小口刃１１が駆動し、断裁位置１４に置いた冊子の三方を断裁する。
【先行技術文献】
【特許文献】
【０００４】
【特許文献１】特開２００１−３２２０９１号公報
【発明の概要】
【発明が解決しようとする課題】
【０００５】
ところで、小口や天地を突き揃える揃え板は、一般的にカムやエアーシリンダなどを用いて機械的に決まった量、また規定の回数の突き揃えるようにされている。そのために、突き揃える速度やストローク量の変更が簡単ではなく、突き揃え精度を向上することが困難で、また、突き揃えるためのだけの機構を必要とし、三方断裁装置全体の機構が複雑になるといった問題があった。
【０００６】
発明が解決しようとする課題は、三方断裁装置全体の機構を簡素にするとともに、三方断裁機においての冊子の突き揃え精度を簡単に高めることができるようにし、斯かる問題を解消する点にある。
【課題を解決するための手段】
【０００７】
上記の課題を解決するために、本発明は、冊子の背面を先頭にして搬入した断裁する冊子を載置する断裁プレートと、冊子の搬入方向と直交する方向に伸び前記断裁プレートの搬入側の端縁に沿って配置した冊子の小口側の端部を断裁する小口断裁刃と、冊子の搬入方向と同方向に伸び前記断裁プレートの一方の側縁に沿って配置した冊子の天の端部を断裁する天断裁刃と、前記天断裁刃と平行し前記断裁プレートの他方の側縁に沿って配置した冊子の地の端部を断裁する地断裁刃とを備え、前記断裁プレートに載置した冊子の小口および天・地の端部を前記各断裁刃の下降により断裁してなる三方断裁機であって、断裁する冊子を前記断裁プレートへ搬入する第１のモータの駆動で移動するプッシャーと、前記断裁プレートの両側にそれぞれ対向して配置され、前記断裁プレート上に搬入された冊子の背および天または地に当接するＬ字形のストッパ板と、前記各ストッパ板をそれぞれ前記搬入された冊子の天・地と直交する方向に移動駆動する第２のモータと、前記搬入された冊子の小口および天・地を突き揃える回数およびストローク量を設定する設定手段とを設け、断裁する冊子を前記断裁プレート上に搬入したとき、前記第１および第２のモータを正転駆動および逆転駆動し、前記設定手段で設定したストローク量で、前記設定手段で設定した回数前記プッシャーで前記冊子の小口を、前記ストッパ板で前記冊子の天・地を突き揃える構成としている。
【発明の効果】
【０００８】
本発明では、断裁する冊子を三方断裁機の断裁プレート上に搬入するプッシャーを冊子の小口を突き揃える部材とし、また、断裁プレート上の所定の位置に位置決めするストッパ板を冊子の天・地を突き揃える部材としているので、冊子の小口・天・地を突き揃えるためのみの部材を必要とせず、その分三方断裁装置全体の機構を簡素にすることができる。また、冊子の小口および天・地を突き揃える回数およびストローク量を任意に設定する設定手段を設けているので、突き揃え不揃いを簡単に修正することができ、これにより突き揃え精度を高めることができる。
【図面の簡単な説明】
【０００９】
【図１】本発明の実施例に係る冊子突き揃え装置の一状態の平面図（ａ）と側面図（ｂ）図である。
【図２】図１に示す冊子突き揃え装置の別状態の平面図（ａ）と側面図（ｂ）図である。
【図３】図１に示す冊子突き揃え装置の入力パネルの表示画面図である。
【図４】従来の三方断裁装置の平面図である。
【実施例】
【００１０】
以下、本発明の実施例に係る冊子突き揃え装置について、図１〜図３を参照して説明する。図１および図２において、２１は断裁する冊子の搬送路、２２はプッシャー、２３はサーボモータ（請求項でいう第１のモータに相当する。）、２４はタイミングベルト、２５は小口刃、２６は断裁する冊子を載せる断裁プレート、２７は天地刃（一方が天刃、他方が地刃）、２８はＬ字形のストッパ、２９はステッピングモータ（請求項で言う第２のモータに相当する。）、３０はピニオン、３１はラック、３２はガイド棒、３３はＬ字形ストッパの支持枠である。
【００１１】
Ｌ字形のストッパ２８は支持枠３３の一端に固定され、その支持枠３３はガイド棒３２にスライド可能に支持したラック３１にスライド可能に支持されている。そしてラック３１はステッピングモータ２９の回転軸に固定したピニオン３０と噛合しており、ステッピングモータ２９の回転によるピニオン３０の回転でラック３１はガイド棒３２に沿って移動する。すなわち、Ｌ字形のストッパ２８は支持枠３３の移動で断裁プレート２６の側縁に沿って移動し、ステッピングモータ２９の回転駆動にしたがい断裁プレート２６の側縁と直交する横方向に移動する。
【００１２】
断裁に際し、図２に示すように支持枠３３を移動してＬ字形のストッパ２８の一辺を断裁する冊子の背に位置する位置に固定し、また、Ｌ字形のストッパ２８の他辺を断裁する冊子の天・地に位置する位置にセットして置き、断裁プレート２６上に搬入する冊子を位置決めする。このとき断裁プレート２６の冊子搬入側の端部に配置した小口刃２５、断裁プレート２６の両側の端部のそれぞれ配置した天刃・地刃２７は上方で待機している。
【００１３】
プッシャー２２はサーボモータ２３の回転で移動するタイミングベルト２４に固定され、プッシャー２２の前に置かれた冊子Ｐをサーボモータ２３の回転駆動によるタイミングベルト２４の移動で断裁プレート２６上へ冊子Ｐの背がＬ字形のストッパ２８の一辺に当接するまで押し進める。
【００１４】
サーボモータ２３やステッピングモータ２９などの駆動は図示しない断裁制御装置により制御される。この制御装置には制御に必要な各種の設定値などを入力する図３に示すような入力用表示画面図３４を備える。この画面で表示された突き揃え回数の欄３４ａに、予め経験則にしたがった冊子を突き揃える回数を数値入力し、同様に突き揃えストローク（天地）３４ｂおよび突き揃えストローク（小口）３４ｃの欄に、それぞれ経験則にしたがったストローク量を数値入力しておく。
【００１５】
プッシャー２２は、冊子Ｐを断裁プレート２６上へ冊子Ｐの背がＬ字形のストッパ２８の一辺に当接するまで押し進めると、入力用表示画面図３４の突き揃えストローク（小口）３４ｃの欄で入力したストローク量一旦後退して前進し、断裁プレート２６上の冊子Ｐの小口を突き揃える。この後退と前進を入力用表示画面図３４の突き揃え回数の欄３４ａで設定した回数繰り返す。また、Ｌ字形のストッパ２８を断裁プレート２６の側縁から離れる方向に、入力用表示画面図３４の突き揃えストローク（天地）３４ｂの欄で入力したストローク量一旦後退して前進し、断裁プレート２６上の冊子Ｐの天・地を両側から突き揃える。この後退と前進を入力用表示画面図３４の突き揃え回数の欄３４ａで設定した回数繰り返す。なお、プッシャー２２で冊子の小口に当接する時は、冊子Ｐの背がＬ字形のストッパ２８の一辺に当接している。
【００１６】
この突き揃えで不揃いがある場合、入力用表示画面図３４の突き揃え回数の欄３４ａから予め設定した回数、突き揃えストローク（天地）３４ｂおよび突き揃えストローク（小口）３４ｃの欄から予め設定したストローク量を適宜変更し、突き揃えで不揃いを解消する。
【００１７】
突き揃え終了後、断裁プレート２６上の冊子Ｐを図示しない押さえ板で押さえ、図１に示すようにプッシャー２２を元の位置に戻し、ストッパ２８を断裁プレート２６の側縁から離れた位置に置き、小口刃２５、天地刃２７を下降して冊子Ｐの小口、天・地分を断裁する。断裁して小口刃２５、天地刃２７が上昇すると、図２に示すようにストッパ２８を断裁プレート２６の側縁に置き、次の冊子の搬入を待つ。
【符号の説明】
【００１８】
２１  断裁する冊子の搬送路
２２  プッシャー
２３  サーボモータ
２４  タイミングベルト
２５  小口刃
２６  断裁プレート
２７  天地刃
２８  Ｌ字形のストッパ
２９  ステッピングモータ
３０  ピニオン
３１  ラック
３２  ガイド棒
３３  ストッパの支持枠
３４  入力表示画面
【図１】
0005483697.tif 000002
【図２】
0005483697.tif 000003
【図３】
0005483697.tif 000004
【図４】
0005483697.tif 000005